【事件の表示】
　平成　９年特許願第　５６８４１号「刺繍データ生成装置」拒絶査定不服審判事件〔平成１０年　９月　８日出願公開、特開平１０−２３５０５２号〕について、次のとおり審決する。
【結　論】
　本件審判の請求は、成り立たない。
【理　由】
１．手続の経緯　
　本願は、平成９年２月２５日の出願であって、平成１９年３月９日付けで拒絶査定がされ、これに対して、平成１９年４月９日に拒絶査定不服審判請求がなされたものである。　
　そして、当審において、平成２１年５月１８日付けで拒絶理由通知が通知され、これに対して同年７月２４日に意見書及び手続補正書が提出されたものである。　
　
　
２．本願発明について　　
　本願の請求項１〜３に係る発明は、平成２１年７月２４日付け手続補正書の特許請求の範囲の請求項１〜３に記載された事項により特定されるものと認められるところ、請求項１は以下のとおり記載されている。　　
　「刺繍すべき形状を表すデータを与えるための手段と、該刺繍すべき形状を表すデータに基づいて装飾物を刺繍対象物に縫いつけるための装飾ステッチデータを生成するための手段と、を有することを特徴とする刺繍データ生成装置。」（以下、「本願発明」という。）　　
　
　
３．引用発明　
（１）これに対して、当審の拒絶理由通知に引用された特開平３−１２４８６７号公報（以下「引用例１」という。）には図面とともに以下の事項が記載されている。　
　
（ａ）「（１）刺繍原図の輪郭を読取る読取り手段と、該読取り手段により読取った輪郭に基づいて所望のステッチ柄を作成すべく、複数のステッチ条件のうち、所望のステッチ条件を選択的に入力するステッチ条件選択手段と、該ステッチ条件選択手段と読取り手段とからの信号に基づき前記ステッチ柄のポイントデータを各ステッチ柄毎のポイントデータブロックとして作成するポイントデータブロック作成手段と、該ポイントデータブロック作成手段で作成したポイントデータブロックを記録媒体に書込ませる書込み手段とから構成してなる刺繍機用データ作成装置。」（第１頁左下欄第５行−第１６行）　
　
（ｂ）「次に、第１０図は刺繍ミシンシステムの制御ブロック図を示し、このシステムの制御装置１３は前記制御装置６とほぼ同様にマイクロコンピュータ等によって構成されている。また、該制御装置１３の入力側はテープリーダ１４，フロッピーディスク装置１５およびキーボード１６等と接続され、出力側はディスプレイ１７，刺繍ミシンのアクチュエータ１８およびテープパンチャ１９等と接続されている。そして、テープリーダ１４は前述の如くテープパンチャ１１によって運針データが記録されたテープ１２から運針データを読取ることにより、この運針データを制御装置１３に出力し、該制御装置１３はこの運針データに基づいて刺繍ミシンのアクチュエータ１８を駆動制御するようになっている。　
　このように構成される従来技術では、まず、タブレット１のボード２に設けた作画エリア２Ａに刺繍原図としてのドラフト３を貼付け、カーソル５を用いて該ドラフト３の輪郭を読取りつつ、メニューシート４の色選択スイッチ４Ａ、ステッチ選択スイッチ４Ｂ、設定スイッチ４Ｃ等を選択的に押下して、所望のステッチ条件を選定し、タブレット１から制御装置６にドラフト３の輪郭信号とステッチ条件選択信号とを出力する。そして、制御装置６はこの輪郭信号とステッチ条件選択信号とに基づき運針データを演算し、この運針データをディスプレイ９に第８図に例示する如く表示させ、例えばテープパンチャ１１を作動させることによって、この運針データをテープ１２に第９図に例示する如く書込ませる。　
　そして、テープ１２に書込まれた運針データに基づき刺繍ミシンのアクチュエータ１８を駆動させる場合には、第１０図に示した刺繍ミシンシステムのテープリーダ１４によってテープ１２の運針データを読出し、制御装置１３によりアクチュエータ１８をこの運針データに基づいて作動させることによって、所望の刺繍柄を刺繍布に縫込んでゆく。」（第３頁右上欄第３行−左下欄第２０行）　
　
（ｃ）「〔実施例〕　
　以下、本発明の実施例を第１図ないし第３図に基づいて説明する。なお、実施例では前述した第４図ないし第１１図に示す従来技術と同一の構成要素に同一の符号を付し、その説明を省略するものとする。」（第４頁右下欄第８行−第１３行）　
　
（ｄ）「［発明の効果］　
　以上詳述した通り、本発明によれば、ポイントデータブロックを作成して、テープ等の記録媒体に書込むようにしたから、柄の変更等を行うときに、全体の柄を俯瞰して、変更，編集作業を簡単に行うことができ、作業性を大幅に向上でき、柄の再現性等を高めることができる。」（第７頁左上欄第１６行−右上欄第２行）　
　
　したがって、上記引用例１には以下の発明（以下、「引用発明１」という。）が記載されている。　
「刺繍原図の輪郭を読取る読取り手段と、読取り手段からの信号に基づき前記ステッチ柄のポイントデータを各ステッチ柄毎のポイントデータブロックとして作成するポイントデータブロック作成手段とを有する刺繍機用データ作成装置。」　
　
（２）また、当審の拒絶理由通知に引用された特開平８−３１１７６１号公報（以下「引用例２」という。）には図面とともに以下の事項が記載されている。　
　（ｅ）「【０００６】　
　【課題を解決するための第１の手段】本出願の請求項１に記載された発明の装飾紐縫い付け刺繍機は、図１に模式的に示すように、装飾紐の長手方向に沿う位置データの並び１４と、その装飾紐の幅Ｒに関する幅データ１２とを記憶する記憶手段１０と、その記憶手段１０に記憶されている位置データの並び１４に基づいて、前記装飾紐の幅方向の向きを算出する方向算出手段２０と、その方向算出手段２０によって算出された向きと、前記記憶手段１０に記憶されている前記幅データ１２とに基づいて、前記位置データの並び１４のうちの一対の位置データ１４ａ，１４ｂに対応させ、前記装飾紐の両縁部上に向かい合って位置する少なくとも一対の針落ち位置３０ａ，３０ｂを求める演算手段３０と、その演算手段３０によって求められた針落ち位置３０ａ，３０ｂに基づいて刺繍枠を駆動させ、前記装飾紐を縫い付ける駆動手段４０とを有する。」（段落【０００６】）　
　
　したがって、上記引用例２には以下の発明（以下、「引用発明２」という。）が記載されている。　
「装飾紐の幅方向の向きを算出する方向算出手段によって算出された向きと、装飾紐の幅データに基づいて、針落ち位置を演算する演算手段を有する装飾紐縫い付け刺繍機。」　
　
４．対比　
　本願発明と引用発明１とを対比すると、引用発明１の「刺繍原図の輪郭を読取る読取り手段」及び「刺繍機用データ作成装置」は、本願発明の「刺繍すべき形状を表すデータを与えるための手段」及び「刺繍データ生成装置」にそれぞれ相当する。　
　また、引用発明１の「ポイントデータブロック作成手段」は、引用例の記載（ａ）に記載されているように、読み取り手段からの信号に基づいて所望のステッチ柄のポイントデータを作成しており、本願発明の「装飾ステッチデータを生成するための手段」に相当する。　
　したがって、本願発明と引用発明１は、以下の点で一致ないし相違する。　
　
＜一致点＞　　
　「刺繍すべき形状を表すデータを与えるための手段と、　
　該刺繍すべき形状を表すデータに基づいて装飾ステッチデータを生成するための手段とを有する刺繍データ生成装置。」　　
＜相違点＞　
　生成される装飾ステッチデータが、本願発明は「装飾物を刺繍対象物に縫いつけるための装飾ステッチデータ」であるのに対し、引用発明１は装飾物を刺繍対象に縫い付けるためのデータではない点。　
　
　
５．検討  　
　そこで、上記相違点について検討する。　
　本願発明において「装飾物」とは、本願当初明細書の段落【０００７】に「一方装飾ステッチデータ生成装置３は毛糸やリボン等を刺繍対象物に縫いつけるための装飾ステッチデータを生成するものである。」とあるように、毛糸やリボン等の刺繍対象物に縫い付けられるものである。　
　一方、引用例２には、刺繍すべき形状を表すデータである位置データの並び１４に基づいて、装飾紐を被刺繍布に縫いつけるためのデータを生成する演算手段３０が記載されている。　
　そして、引用発明１と引用発明２はいずれも、刺繍用ミシンのためのデータを生成するためのものであり、引用例１には様々な刺繍データを生成することが示唆されているから、引用発明１により生成されるデータを、引用例２に記載された装飾紐を被刺繍布に縫いつけるためのデータにして、相違点に係る本願発明の構成のようにすることは、当業者が容易に想到できたことである。　
　しかも、本願発明が奏する効果も、引用発明１及び引用発明２から当業者が予測できたものであって、格別顕著なものとはいえない。 
　したがって、本願発明は、引用発明１及び引用発明２に基いて、当業者が容易に発明をすることができたものである。　
　
　
６．むすび　
　以上のとおり、本願発明は、上記引用発明１及び引用発明２に基づいて当業者が容易に発明をすることができたものである。したがって、他の請求項について検討するまでもなく、特許法第２９条第２項の規定により特許を受けることができない。　
　
　よって、結論のとおり審決する。